(57)【要約】      （修正有）【課題】高所作業車や高所作業台作業床の手すりが、塗装等の作業の際に落下する余剰な塗滴によって汚損することを防止するための、安価で使い捨て可能な作業床用手すり汚損防止カバーを提供する。【解決手段】高所作業車や高所作業台作業床の上段手すり１１と床１２の各辺で挟まれる側面を取り巻くように通気性を具備したシートを加工した汚損防止カバー本体２１と、汚損防止カバー本体の上側開口部周縁が手すり上部を覆うように固定するための上側周縁取り付け部２２と、汚損防止カバー本体の下側開口部を作業床の底部下に廻り込ませるための下側端部収縮部２３とを備える。【選択図】図３
0003200951.tif 000002
【実用新案登録請求の範囲】
【請求項１】
高所作業車や高所作業台作業床の手すり汚損防止カバーであって、
前記作業床の上段手すりと床の各辺で挟まれる側面を通気性を具備したシートで覆った汚損防止カバー本体と、該汚損防止カバー本体の上側開口部周縁が上段手すり上部を覆うように固定するための上側周縁取付部と、前記汚損防止カバー本体の下側開口部を前記作業床の底部下に廻り込ませるための下側端部収縮部を備えたことを特徴とする作業床用手すり汚損防止カバー
【請求項２】
前記汚損防止カバー本体の各側面ごとに少なくとも１個所は１つ以上の縦方向の襞を設けたことを特徴とする請求項１に記載の作業床用手すり汚損防止カバー
【請求項３】
前記通気性を具備したシートとして不織布を用いたことを特徴とする請求項１または請求項２に記載の作業床用手すり汚損防止カバー
【考案の詳細な説明】
【技術分野】
【０００１】
本考案は、高所作業車や高所作業台の作業床、特にプラットフォーム形作業床の手すり汚損防止カバーに関するものである。
【背景技術】
【０００２】
従来、高所作業車や高所作業台の作業床上で天井面や壁面の塗装作業をする場合、刷毛やローラー刷毛についた余剰塗滴が作業床、特にプラットフォームの手すりや床を汚損させることが多かった。この場合、床面については塗装用養生シートを敷くことによって容易に汚損を防止することができるが、手すりを養生シートでカバーするのは面倒であるばかりでなく、養生シートは通常ポリエチレン製のものが多いため通気性がなく、養生シートで囲むと横風を受けて作業車や作業台が大きく揺れることがあり、作業員に転倒等の危険が及ぶ恐れがあった。また、ポリエチレン製養生シートは塗料の吸着性の点でも満足するものではなかった。
【考案の概要】
【考案が解決しようとする課題】
【０００３】
そこで、作業者が容易に取り付け及び取り外しができ、横風を受けても作業車や作業台に与える影響が少なく、且つ、養生シートのように使い捨ても可能な程度に安価な保護カバーが求められていた。
【課題を解決するための手段】
【０００４】
上記の課題を解決するために、本考案に係る作業床用手すり汚損防止カバーは、高所作業車や高所作業台作業床の手すり汚損防止カバーであって、前記作業床の上段手すりと床の各辺で挟まれる側面を通気性を具備したシートで覆った汚損防止カバー本体と、該汚損防止カバー本体の上側開口部周縁が上段手すり上部を覆うように固定するための上側周縁取付部と、前記汚損防止カバー本体の下側開口部を前記作業床の底部下に廻り込ませるための下側端部収縮部を備えたことを特徴とする。
【０００５】
また、本考案では、前記汚損防止カバー本体の各側面ごとに少なくとも１個所は１つ以上の縦方向の襞を設けたことも特徴とする。
【０００６】
また、本考案では、通気性を具備したシートとして、比較的安価で且つ加工が容易な不織布を用いたことを特徴とする。
【考案の効果】
【０００７】
本考案によれば、高所作業車等のプラットフォーム上で塗装作業を行う場合に、作業者が一人で本考案に係る作業床用手すり汚損防止カバーを取り付けることが可能であり、手すりの汚れに気を配ることなく効率の良い作業が可能になる。しかも、本考案に係る作業床用手すり汚損防止カバーは、汚損防止カバー本体が通気性を具備したシートを加工したものであるため、作業中に横風を受けても作業床の揺れが比較的少なく、作業者は作業に専念することが可能になる。また、本考案に係る作業床用手すり汚損防止カバーを取り付けることで、従来のように高所作業車のレンタル会社から高額な清掃費用を請求される恐れもなく、カバーが汚れた時点で低廉な交換費用が必要になるだけですむ。
【０００８】
更に、本考案に係る作業床用手すり汚損防止カバーは、汚損防止カバー本体の各側面に少なくとも１個所は１つ以上の縦方向の襞を設けてあるため、プラットフォームの広さが多少違っても装着可能であり、伸縮形のプラットフォームにもある程度対応し得るものである。
【図面の簡単な説明】
【０００９】
【図１】図１は、シザース形高所作業車のプラットフォーム及びリフトアーム部分を表した斜視図である。
【図２】図２は、図１の作業床部分に本考案に係る作業床用手すり汚損防止カバーを取り付けた状態を表した斜視図である。
【図３】図３は、プラットフォームの手すりに作業床用手すり汚損防止カバーを取り付けた状態の１側面の断面を表した図である。
【図４】図４は、作業床用手すり汚損防止カバーの上側開口部周縁を手すり支柱にゴム紐で固定する一例を表した平面図である。
【考案を実施するための形態】
【００１０】
以下、本考案に係る作業床手すり汚損防止カバーを図面に基づいて説明する。
【００１１】
図２は、図１に表したシザース形高所作業車のプラットフォーム形作業床１に請求項２に係る作業床用手すり汚損防止カバー２を取り付けた状態である。高所作業台についても同様である。
【００１２】
本実施例においては、作業床用手すり汚損防止カバー２の汚損防止カバー本体２１を、特定のプラットフォームの上段手すり１１の高さより２０センチメートル程度幅広の長尺不織布で上段手すりと床の各辺で挟まれる側面を取り巻き、その両端を融着接合し、プラットフォームの手すりに装着時には矩形断面の筒状になるようにした。融着しないで接着剤で接合しても良い。
【００１３】
また、上段手すりと床の各辺で挟まれる側面ごと２箇所に２センチメートル程度上下方向に延びる襞２４を設けた。襞の数はたるみを考慮して５個程度とした。もちろん襞を設ける個所は２個所に限らないし、襞の数も５個に限る必要はない。適用しようとするプラットフォームの広さの範囲によって定めると良い。襞は上下の端部まで設ける必要はなく、上下端部近傍についてはゴム紐の伸縮によって張りを調節するようにする。
【００１４】
下部開口部は２センチメートル程度内側に折り返して端部を本体に融着し、折り返してできた空間内にゴム紐２３を下部開口部を一周するように通してある。ゴム紐２３は縮んだ状態で襞が折りたたまれた状態の周囲長より多少短く、かつ、襞が開いた状態の周囲長までは容易に延びる程度の長さとし、常に、カバーの下端がプラットフォームの床面下に収まるようにした。
【００１５】
また、作業床用手すり汚損防止カバー２の上部開口部は、下部開口部同様２センチメートル程度内側に折り返してその端部を本体部に融着する。しかし、下部開口部と異なり、プラットフォーム４隅の手すり支柱１１の上端を覆う部分から、それぞれの手すり上辺に沿って５センチメートル程度離れた位置の折り返し部分に垂直方向の切り込みを設け、この切り込みから各辺に沿ってゴム紐２２を通し、ゴム紐２２両端部をこの切り込み部から各々数十センチメートル程度長めに出してその先端に係止具２５を取り付けてある（図４）。
【００１６】
狭いプラットフォームに装着してゴム紐が長すぎる場合は、ゴム紐を手すり支柱の外側から互いに数回巻き込んで長さを調整してから係止具２５で隣接する側面のゴム紐と連結する。
なお、前記したように、襞の折り込みはプラットフォーム側面の高さに相当する部分にのみ設け、床下や手すりに廻り込む部分の伸縮はゴム紐の伸縮によって調節する。
【００１７】
不織布は材質や製法によって様々な特徴を持ったものが製造されているが、本考案においてはこれらの中から高い通気性を持ち、かつ塗料吸着性の良い素材のものを用いるのが良い。具体例として紡糸直結型という製法でつくられた合成繊維の不織布が適当と思われるが、必ずしもかかる製法や素材に限定されるものではない。
【００１８】
以下、本実施例にかかる作業床用手すり汚損防止カバー２の装着手順の一例を述べる。
【００１９】
はじめに本作業床用手すり汚損カバー２を裏返し、上部開口部をプラットフォーム上段手すり１１の内側にはめ込むようにし、それぞれの上辺から引き出されているゴム紐２２を４隅の手すり支柱の各々の外側を回り込むようにして係止具２５で接続する。プラットフォームの広さの多少の違いは、ゴム紐２２の伸縮によって対応し、汚損防止カバー本体の襞２４が手すりの長さに応じて適当に広がるようにゴム紐２２の張りを調節する。調節はゴム紐２２を手すり支柱に外側から数回廻し込むことで行うのが良い。
【００２０】
４隅すべてについてゴム紐２２が各々の手すり支柱の外側を回り込んで繋がった状態で作業者はプラットフォーム入り口から内部に乗り込み、内側からカバーを手すりの外側に折り返して、下部開口部を少しずつ手すりに沿って下げ、プラットフォーム床下に回り込むようにして装着を完了する。
【００２１】
なお、手すりの内側の汚損防止も考慮する場合は、本考案の作業床用手すり汚損防止カバー２の上側開口部各辺の複数個所に、例えば面ファスナーのパイル側を接着しておき、プラットフォーム各側面の大きさで裁断した不織布の上辺の対応する個所に同様に面ファスナーのフック側を接着した内側汚損防止用カバーを装着するようにすると良い。もちろん装着に面ファスナー以外の固定手段を用いても良いし、はじめから作業床手すり汚損防止カバーが上段手すりに当たる部分に内側汚損防止カバーの上辺を溶着等で固定しておくのも良い。
【００２２】
これらの場合も同様に、まず外側汚損防止カバー２を取り付け、その後に内側汚損防止カバーを装着するようにすると良い。
【００２３】
尚、内側汚損防止カバーを装着した状態では手すりの中間段のバーが見えにくくなるので、内側汚損防止カバーに用いる不織布は通気性のみならず光透過性の優れた素材を用いるのが良い。
【符号の説明】
【００２４】
１      プラットフォーム形作業床（リフトアームを含む）
１１    プラットフォームの手すり
１２    プラットフォームの床面
１３    シザース形高所作業車のリフトアーム部分
２      作業床用手すり汚損防止カバー
２１    汚損防止カバー本体
２２    上側周縁取付部用ゴム紐
２３    下部開口部収縮用ゴム紐
２４    汚損防止カバー本体襞部
２５    上側周縁取付部ゴム紐係止具
【図１】
0003200951.tif 000003
【図２】
0003200951.tif 000004
【図３】
0003200951.tif 000005
【図４】
0003200951.tif 000006